(57)【要約】    【課題】  手を触れずに且つ迅速に新しい粘着紙部分を引き出すことができるローラ式塵取り具を提供することである。    【解決手段】  ローラ式塵取り具（１０）は、一対の対向した第１部材（１４）及び第２部材（１３）と、第１部材及び第２部材の一端同士を連結する第３部材（１８）とを有する支持フレーム（１２）と、支持フレームの第１部材と第２部材との間の先端側に回転可能に取り付けられた第１シャフト（２０）と、支持フレームの第１部材と第２部材との間の第３部材の側に回転可能に取り付けられた第２シャフト（２２）と、使用時に第１シャフトに装着され第２シャフトに掛け渡され又は第２シャフトに装着され第１シャフトに掛け渡されるロール状粘着紙が弛まないように一定の張力を与えるための張力付与装置（２４）と、支持フレームに取り付けられた柄（２８）とを備えている。【選択図】  図１
2006296695.tif 000002
【特許請求の範囲】
【請求項１】
ローラ式塵取り具であって、
一対の対向した第１部材及び第２部材と、前記第１部材及び第２部材の一端同士を連結する第３部材とを有する支持フレームと、
前記支持フレームの前記第１部材と前記第２部材との間の先端側に回転可能に取り付けられた第１シャフトと、
前記支持フレームの前記第１部材と前記第２部材との間の前記第３部材の側に回転可能に取り付けられた第２シャフトと、
使用時に前記第１シャフトに装着され前記第２シャフトに掛け渡され又は前記第２シャフトに装着され前記第１シャフトに掛け渡されるロール状粘着紙が弛まないようにロール状粘着紙に一定の張力を与えるための張力付与装置と、
前記支持フレームに取り付けられた柄と、
を備えていることを特徴とする塵取り具。
【請求項２】
前記張力付与装置が、渦巻きバネが弛緩しようとする弾性力により生じる回転を前記第２シャフトに伝達し、これにより前記第１シャフトと前記第２シャフトとの間に掛け渡されたロール状粘着紙に対して前記第２シャフトに向かって引っ張ろうとする張力を付与するように構成されていることを特徴とする請求項１に記載の塵取り具。
【請求項３】
前記張力付与装置が、前記第２シャフトの回転と連動して回転する円板と、前記円板の側部に配置された渦巻きバネとを有し、緊張させた前記渦巻きバネが弛緩しようとする弾性力により生じる回転を前記第２シャフトに伝達し、これにより前記第１シャフトと前記第２シャフトとの間に掛け渡されたロール状粘着紙に対して前記第２シャフトに向かって引っ張ろうとする張力を付与するように構成されていることを特徴とする請求項２に記載の塵取り具。
【請求項４】
前記張力付与装置に、ロール状粘着紙への張力の付与を解除するための張力付与解除機構が配置されており、前記張力付与解除機構が、前記渦巻きバネが弛緩しようとする弾性力により生じる回転の前記第２シャフトへの伝達を遮断するように構成されていることを特徴とする請求項２又は３に記載の塵取り具。
【請求項５】
前記第１部材が、前記第３部材の側の基部と、前記基部に回転可能に取り付けられた先端部とを有し、前記第２部材が、前記第３部材の側の基部と、前記基部に回転可能に取り付けられた先端部とを有しており、
前記第１及び第２部材の先端部を回転させて前記支持フレームを中折れ状態にすることにより、前記渦巻きバネが弛緩しようとする弾性力により生じる回転の前記第２シャフトへの伝達を遮断するように構成されていることを特徴とする請求項４に記載の塵取り具。
【発明の詳細な説明】
【技術分野】
【０００１】
本発明は一般に、ローラ式塵取り具に関する。より詳細には、本発明は、手を触れずに且つ迅速に新しい粘着紙部分を引き出すことができるローラ式塵取り具に関する。
【背景技術】
【０００２】
ロール状の粘着紙を用いて、床等の塵を取るローラ式塵取り具が知られている。このローラ式塵取り具では、ロール状粘着紙にミシン目が入っており、塵が付着した使用済みの粘着紙をミシン目に沿って破り取って使用するようになっている。
【発明の開示】
【発明が解決しようとする課題】
【０００３】
しかしながら、上述のローラ式塵取り具では、塵が付いた粘着紙部分を手で破り取って新しい粘着紙部分を引き出さなければならず、汚れた粘着紙に手を触れなければならないため、不衛生であるという課題があった。また、粘着紙部分を手で破り取らなければならないため、清掃に時間がかかるという課題もあった。そこで、手を触れずに且つ迅速に新しい粘着紙部分を引き出すことができるローラ式塵取り具に対する要請がある。
【０００４】
本発明は、このような状況に鑑みて案出されたものであって、手を触れずに且つ迅速に新しい粘着紙部分を引き出すことができるローラ式塵取り具を提供することを目的としている。
【課題を解決するための手段】
【０００５】
本願請求項１に記載のローラ式塵取り具は、一対の対向した第１部材及び第２部材と、前記第１部材及び第２部材の一端同士を連結する第３部材とを有する支持フレームと、前記支持フレームの前記第１部材と前記第２部材との間の先端側に回転可能に取り付けられた第１シャフトと、前記支持フレームの前記第１部材と前記第２部材との間の前記第３部材の側に回転可能に取り付けられた第２シャフトと、使用時に前記第１シャフトに装着され前記第２シャフトに掛け渡され又は前記第２シャフトに装着され前記第１シャフトに掛け渡されるロール状粘着紙が弛まないようにロール状粘着紙に一定の張力を与えるための張力付与装置と、前記支持フレームに取り付けられた柄とを備えていることを特徴とするものである。
【０００６】
本願請求項２に記載のローラ式塵取り具は、前記請求項１の塵取り具において、前記張力付与装置が、渦巻きバネが弛緩しようとする弾性力により生じる回転を前記第２シャフトに伝達し、これにより前記第１シャフトと前記第２シャフトとの間に掛け渡されたロール状粘着紙に対して前記第２シャフトに向かって引っ張ろうとする張力を付与するように構成されていることを特徴とするものである。
【０００７】
本願請求項３に記載のローラ式塵取り具は、前記請求項２の塵取り具において、前記張力付与装置が、前記第２シャフトの回転と連動して回転する円板と、前記円板の側部に配置された渦巻きバネとを有し、緊張させた前記渦巻きバネが弛緩しようとする弾性力により生じる回転を前記第２シャフトに伝達し、これにより前記第１シャフトと前記第２シャフトとの間に掛け渡されたロール状粘着紙に対して前記第２シャフトに向かって引っ張ろうとする張力を付与するように構成されていることを特徴とするものである。
【０００８】
本願請求項４に記載のローラ式塵取り具は、前記請求項２又は３の塵取り具において、前記張力付与装置に、ロール状粘着紙への張力の付与を解除するための張力付与解除機構が配置されており、前記張力付与解除機構が、前記渦巻きバネが弛緩しようとする弾性力により生じる回転の前記第２シャフトへの伝達を遮断するように構成されていることを特徴とするものである。
【０００９】
本願請求項５に記載のローラ式塵取り具は、前記請求項４の塵取り具において、前記第１部材が、前記第３部材の側の基部と、前記基部に回転可能に取り付けられた先端部とを有し、前記第２部材が、前記第３部材の側の基部と、前記基部に回転可能に取り付けられた先端部とを有しており、前記第１及び第２部材の先端部を回転させて前記支持フレームを中折れ状態にすることにより、前記渦巻きバネが弛緩しようとする弾性力により生じる回転の前記第２シャフトへの伝達を遮断するように構成されていることを特徴とするものである。
【発明の効果】
【００１０】
本発明のローラ式塵取り具によれば、手を触れずに新しい粘着紙部分を引き出すことができるので、非常に衛生的である。また、本発明のローラ式塵取り具では、使用済みの粘着紙部分を破り取る必要がないので、清掃時間の短縮化及び清掃の手間の減少を図ることができる。さらに、本発明のローラ式塵取り具は、構造が簡単であるため、廉価に製造することができるとともに、故障するおそれも少ない。
【発明を実施するための最良の形態】
【００１１】
次に添付図面を参照して、本発明の好ましい実施の形態に係るローラ式塵取り具について詳細に説明する。図１は、本発明の好ましい実施の形態に係るローラ式塵取り具の斜視図である。図１において全体として参照符号１０で示される本発明の好ましい実施の形態に係るローラ式塵取り具は、支持フレーム１２を備えている。支持フレーム１２は、一対の対向した第１部材１４及び第２部材１６と、第１部材１４及び第２部材１６の一端同士を連結する第３部材１８とを有しており、平面視でほぼコ字形の形状に形作られている。支持フレーム１２は、合成樹脂材料や金属材料等の適当な材料で形成されている。
【００１２】
好ましくは、支持フレーム１２の第１部材１４は、第３部材１８の側の基部１４ａと、基部１４ａにピン１４ｃによって回転可能に取り付けられた先端部１４ｂとを有しており、ピン１４ｃを中心として先端部１４ｂを回転させることにより、第１部材１４を“中折れ状態”にすることができるようになっている（図５（ｂ）参照）。同様に、支持フレーム１２の第２部材１６も、第３部材１８の側の基部１６ａと、基部１６ａにピン１６ｃによって回転可能に取り付けられた先端部１６ｂとを有しており、ピン１６ｃを中心として先端部１６ｂを回転させることにより、第２部材１６を“中折れ状態”にすることができるようになっている
【００１３】
ローラ式塵取り具１０は又、支持フレーム１２の第１部材１４と第２部材１６との間の先端側に回転可能に取り付けられた第１シャフト２０と、支持フレーム１２の第１部材１４と第２部材１６との間の第３部材１８の側に回転可能に取り付けられた第２シャフト２２とを備えている。
【００１４】
第１シャフト２０は、円筒形の周面部２０ａと、両端の円板形の端面部２０ｂ、２０ｃとを有している。好ましくは、第１シャフト２０の周面部２０ａの長さ方向に沿ってスリット２０ｄが設けられており、スリット２０ｄが設けられている箇所の一方の端面部２０ｂにも、スリット２０ｄと連続した切り込み２０ｅが設けられている（換言すると、他方の端面部２０ｃには切り込みが設けられていない）。これにより、詳細には後述するように、ロール状粘着紙を第１シャフト２０に装着し易くなり且つロール状粘着紙が脱落しにくくなる。
【００１５】
また、第１シャフト２０の端面部２０ｂ、２０ｃには、支持フレーム１２の第１部材１４、第２部材１６の孔１４ｄ１、１６ｄ１に嵌め込むための突起２０ｂ１、２０ｃ１が取り付けられており、第１シャフト２０が容易に回転するように、孔１４ｄ１、１６ｄ１の径が突起２０ｂ１、２０ｃ１の径よりも僅かに大きくなるように形作られている。好ましくは、図３（ａ）に示されるように、一方の突起２０ｂ１の内部にバネ２０ｂ２を収納して突起２０ｂ１を引っ込み可能な構造にする（図３（ｂ）参照）ことにより、第１シャフト２０を支持フレーム１２に取り外し可能に取り付けることができるようになっている。
【００１６】
第２シャフト２２も又、第１シャフト２０と同様に、円筒形の周面部２２ａと、両端の円板形の端面部２２ｂ、２２ｃとを有している。好ましくは、第２シャフト２２の周面部２２ａの長さ方向に沿ってスリット２２ｄが設けられており、スリット２２ｄが設けられている箇所の一方の端面部２２ｂにも、スリット２２ｄと連続した切り込み２２ｅが設けられている（換言すると、他方の端面部２２ｃには切り込みが設けられていない）。これにより、ロール状粘着紙を第２シャフト２２に装着し易くなり且つロール状粘着紙が脱落しにくくなる。
【００１７】
また、第２シャフト２２の端面部２２ｂ、２２ｃにも、支持フレーム１２の第１部材１４、第２部材１６の孔１４ｄ２、１６ｄ２に嵌め込むための突起２２ｂ１、２２ｃ１が取り付けられており、第２シャフト２２が容易に回転するように、孔１６ｄ２の径が突起２２ｂ１の径よりも僅かに大きくなるように形作られている（なお、孔１４ｄ２の径は、後述するように、孔１４ｄ２にキー付き突起２２ｃ１を挿入する必要があるため、大き目に形作られている）。また、第１シャフト２０と同様に、好ましくは、一方の突起２２ｂ１の内部にバネ（図示せず）を収納して突起２２ｂ１を引っ込み可能な構造にすることにより、第２シャフト２０を支持フレーム１２に取り外し可能に取り付けることができるようになっている。
【００１８】
ローラ式塵取り具１０は又、使用時にロール状粘着紙が弛まないようにロール状粘着紙に一定の張力を与えるための張力付与装置２４を備えている。張力付与装置２４は、図４に示されるように、半割りにしたケース２４ａ１、２４ａ２内に収容された円板２４ｂを有している。なお、ケース２４ａ２は、第１部材１４の基部１４ａに固定されている（図４（ｂ）参照）。円板２４ｂの中心には、突出片２４ｂ１が設けられており、円板２４が突出片２４ｂ１を中心として回転するように、ケース２４ａ２の中央に設けられた孔２４ａ２０に突出片２４ｂ１が嵌め込まれている。一方、円板２４ｂの周縁には、フランジ２４ｂ２が設けられており、フランジ２４ｂ２で囲まれた円板２４ｂの側部には、渦巻きバネ２４ｃが配置されている。これにより、円板２４ｂが回転しないように固定した状態で渦巻きバネ２４ｃを巻いて緊張させた後、円板２４ｂの固定を解除すると、渦巻きバネ２４ｃが弛緩しようとする弾性力で円板２４ｂが突出片２４ｂ１を中心として回転するようになっている。一方、第２シャフト２２の突起２２ｃ１（キー２２ｃ２付き、図２（ｂ）参照）が、円板２４の突出片２４ｂ１に設けられた孔２４ｂ３（キー溝２４ｂ４付き）に、キー２２ｃ２がキー溝２４ｂ４に入るような状態で嵌め込まれているため、円板２４ｂが回転すると、その回転力が第２シャフト２２に伝達されるようになっている。
【００１９】
なお、ケース２４ａの外側には、ケース２４ａ１、２４ａ２内に収容される渦巻きバネ２４ａを巻いて緊張させるためのハンドル２４ｄが配置されている。
【００２０】
張力付与装置２４には、張力の付与を解除するための張力付与解除機構２６が配置されている。図５に示されるように、張力付与解除機構２６は、第１部材１４の基部１４ａの内部に設けられた矩形の空所２６ａと、空所２６ａ内を水平方向に摺動するように空所２６ａ内に配置された摺動部材２６ｂと、摺動部材２６ｂを先端部材１４ｂの方へ押しつけるバネ２６ｃと、基部１４ａの内部に設けられた溝内に配置され、一端が摺動部材２６ｂに固定され、他端が基部１４ａと先端部１４ｂとの境界まで延びているアーム２６ｄとを有している。
【００２１】
張力付与解除機構２６を作動させるには、第１部材１４及び第２部材１６を“中折れ状態”にすればよい。すなわち、第１部材１４が“中折れ状態”になると（図５（ｂ）参照）、先端部材１４ｂがアーム２６ｄの移動を阻止しなくなるので、摺動部材２６ｂがバネ２６ｃにより先端部材１４ｂの方へ押しつけられ、摺動部材２６ｂの弧状開口部２６ｂ１が、張力付与機構２４の円板２４ｂの突出片２４ｂ１に係止して、円板２４ｂの回転が阻止される。一方、第１部材１４を一直線の状態にすると（図５（ａ）参照）、バネ２６ｃのばね力に抗してアーム２６ｄの移動が先端部材１４ｂにより阻止され、摺動部材２６ｂの弧状開口部２６ｂ１が突出片２４ｂ１から離れて円板２４の回転が許容され、これにより張力付与状態に戻る。
【００２２】
なお、弧状開口部２６ｂ１の突出片２４ｂ１への係止を良好にするために、弧状開口部２６ｂ１の内周及び突出片２４ｂ１の外周に、互いに噛み合うように刻み目が設けられている。
【００２３】
ローラ式塵取り具１０は更に、支持フレーム１２の第３部材１８に取り付けられた柄２８を備えている。
【００２４】
以上のように構成されたローラ式塵取り具１０の使用について説明する。ローラ式塵取り具１０の使用法は、新しいロール状粘着紙を第１シャフト２０に装着する場合（図６（ａ）参照、以下「第１ケース」という）と、新しいロール状粘着紙を第２シャフト２２に装着する場合（図６（ｂ）参照）、以下「第２ケース」という）の２通りに大別される。
【００２５】
最初に、第１ケースについて説明する。まず、張力付与装置２４のハンドル２４ｄを回して渦巻きバネ２４ｃを実質的に完全に緊張させた状態で、第１シャフト２０にロール状粘着紙を装着し、ロール状粘着紙の端部を引き出して第２シャフト２２のスリット２２ｄに差し入れ、ロール状粘着紙を床面に置いて前進させる。すると、床面の塵が粘着紙に付着するとともに、塵が付着した粘着紙が第２シャフト２２に巻き取られる。その際、張力付与装置２４では、渦巻きバネ２４ｃが弛緩しようとするため円板２４ｂが回転し、この回転が第２シャフト２２に伝えられ、ロール状粘着紙を第２シャフト２２の方へ引っ張ろうとする張力が作用し、これにより第１シャフト２０と第２シャフト２２との間の粘着紙が弛むことがない。清掃が終了した際、又は清掃を一時的に中断しようとする際には、支持フレーム１２の第１部材１４及び第２部材１６を中折れ状態にする。すると、上述のように、摺動部材２６ｂの弧状開口部２６ｂ１が円板２４ｂの突出片２４ｂ１に係止して円板２４ｂ（従って、円板２４ｂの回転と連動する第２シャフト２２）の回転を阻止するため、粘着紙が第２シャフト２２に巻き取られることはなくなる。なお、粘着紙に多少の塵が付着した程度では、当該粘着紙部分の付着力を未だ期待することができるので、床面を数度前進・後退させて使用し、粘着紙に塵が付着しなくなった段階で当該粘着紙部分を第２シャフト２２の方へ送り出すように第１シャフト２０を前進させるのが経済的に好都合である。
【００２６】
次に、第２ケースについて説明する。まず、第１ケースとは異なり、張力付与装置２４の渦巻きバネ２４ｃを実質的に完全に弛緩させた状態で、第２シャフト２２にロール状粘着紙を装着し、ロール状粘着紙の端部を引き出して第１シャフト２０のスリット２０ｄに差し入れ、ロール状粘着紙を床面に置いて前進させる。すると、床面の塵が粘着紙に付着するとともに、塵が付着した粘着紙が第１シャフト２０に巻き取られる。その際、張力付与装置２４では、円板２４ｂ（従って、第２シャフト２２）の回転の度合いに応じて、渦巻きバネ２４ｃが巻かれて緊張し、これによりロール状粘着紙を第２シャフト２２の方へ引っ張ろうとする張力が作用する。清掃が終了した際、又は清掃を一時的に中断しようとする際には、第１ケースの場合と同様に、支持フレーム１２の第１部材１４及び第２部材１６を中折れ状態にすればよい。
【００２７】
なお、渦巻きバネ２４ｃのバネ力は、ロール状粘着紙を一方のシャフトから他方のシャフトに（即ち、第１シャフト２０から第２シャフト２２に、或いは、第２シャフト２２から第１シャフト２０に）移送する際に、渦巻きバネ２４ｃが実質的に完全な緊張状態から実質的に完全な弛緩状態に、或いは実質的に完全な弛緩状態から実質的に完全な緊張状態になるように選定される。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２９】
【図１】本発明の好ましい実施の形態に係るローラ式塵取り具を示した斜視図である。
【図２】図２（ａ）は、図１のローラ式塵取り具の支持シャフトと第１及び第２シャフトを示した分解斜視図、図２（ｂ）は、第２シャフトの端部を示した部分拡大斜視図である。
【図３】第１シャフトの端部を示した断面図である。
【図４】図４（ａ）は、図１のローラ式塵取り具の張力付与装置を示した分解斜視図、図４（ｂ）は、張力付与装置の円板の断面図、図４（ｃ）は、図４（ｂ）の線４ｃ−４ｃに沿って見た図である。
【図５】図１のローラ式塵取り具の張力付与装置に配置されている張力付与解除機構を示した断面図である。
【図６】図１のローラ式塵取り具の使用状態を示した模式図である。
【符号の説明】
【００３０】
１０  ローラ式塵取り具
１２  支持フレーム
１４  第１部材
１６  第２部材
１８  第３部材
２０  第１シャフト
２２  第２シャフト
２４  張力付与装置
２６  張力付与解除機構
２８  柄
【図１】
2006296695.tif 000003
【図２】
2006296695.tif 000004
【図３】
2006296695.tif 000005
【図４】
2006296695.tif 000006
【図５】
2006296695.tif 000007
【図６】
2006296695.tif 000008